(57)【要約】      （修正有）【課題】構造が簡単で、部品点数も少なく、組み立てやすいキャットタワーを提供する。【解決手段】床面から上方に伸びる通し柱１０と、略長方形の板状で、通し柱が貫通可能な面に直角な貫通穴が長手方向の一端部側に穿設された複数の踏み板２０、２２、２４、２６、２８、３０、３２、３４と、複数の踏み板の貫通穴に通し柱が貫通された状態で、複数の踏み板がそれぞれの面を略水平にしつつ高さ方向に所定間隔で配置され、複数の踏み板が、通し柱の軸を回転中心として、それぞれ異なる回転角度に配置されることで、踏み板全体として螺旋階段状に形成されていることを特徴とする。【選択図】図１
0003234781.tif 000002
【実用新案登録請求の範囲】
【請求項１】
猫が歩いて乗り降りするキャットタワーにおいて、
床面から上方に伸びる通し柱と、
略長方形の板状で、該通し柱が貫通可能な面に直角な貫通穴が長手方向の一端部側に穿設された複数の踏み板と、
複数の該踏み板の該貫通穴に該通し柱が貫通された状態で、複数の該踏み板がそれぞれの面を略水平にしつつ高さ方向に所定間隔で配置され、
複数の該踏み板が、該通し柱の軸を回転中心として、それぞれ異なる回転角度に配置されることで、該踏み板全体として螺旋階段状に形成されていることを特徴とするキャットタワー。
【請求項２】
棒状で、前記踏み板相互の間に、該踏み板の他端部側に上下に伸びて挟装された踏み板間柱を備えることを特徴とする請求項１記載のキャットタワー。
【請求項３】
前記踏み板を前記通し柱に固定するために、該踏み板の側方から該通し柱に向かって螺入された第１のネジ部材と、
該踏み板の面側から前記踏み板間柱の端面に向かって螺入された第２のネジ部材とを備え、
該踏み板が該第１のネジ部材によって該通し柱に固定され、該踏み板間柱が該第２のネジ部材で該踏み板に固定されていることを特徴とする請求項２記載のキャットタワー。
【考案の詳細な説明】
【技術分野】
【０００１】
本考案は、猫が歩いて乗り降りするキャットタワーに関する。
【背景技術】
【０００２】
従来より、猫が歩いて乗り降りするキャットタワーが、各種提案されてきている。例えば、特許文献１に示されるキャットタワーは、ベース板に間隔を隔てて立設された４本の支柱のうちの互いに隣接する支柱に対し支持される複数の棚板を備え、各棚板を、互いに平行でかつ長さが等しい２つの第１辺及び第２辺と当該第１及び第２辺の両端に一端がそれぞれ連続する互いに長さが等しい第３〜第６辺とで六角形状に形成し、互いに相隣なる２つの支柱の支持面に一方の半径面部を固定した扇状連結部材の他方の半径面部に対し、第１辺並びにこの第１辺に連続する第３及び第４辺の一方、若しくは第３及び第４辺をそれぞれ固定している。
【先行技術文献】
【特許文献】
【０００３】
【特許文献１】特開２０２０−１４５９４３号公報
【考案の概要】
【考案が解決しようとする課題】
【０００４】
しかしながら、従来のキャットタワーは、構造が複雑で、部品の種類も多く組み立てが容易ではない。
【０００５】
本考案は、このような事情に鑑みてなされたもので、構造が簡単で、部品点数も少なく、組み立てやすいキャットタワーを提供することにある。
【課題を解決するための手段】
【０００６】
請求項１記載のキャットタワーは、床面から上方に伸びる通し柱と、略長方形の板状で、通し柱が貫通可能な面に直角な貫通穴が長手方向の一端部側に穿設された複数の踏み板と、複数の踏み板の貫通穴に通し柱が貫通された状態で、複数の踏み板がそれぞれの面を略水平にしつつ高さ方向に所定間隔で配置され、複数の踏み板が、通し柱の軸を回転中心として、それぞれ異なる回転角度に配置されることで、踏み板全体として螺旋階段状に形成されていることを特徴とする。
【０００７】
請求項２記載のキャットタワーは、棒状で、踏み板相互の間に、踏み板の他端部側に上下に伸びて挟装された踏み板間柱を備えることを特徴とする。
【０００８】
請求項３記載のキャットタワーは、踏み板を通し柱に固定するために、踏み板の側方から通し柱に向かって螺入された第１のネジ部材と、踏み板の面側から踏み板間柱の端面に向かって螺入された第２のネジ部材とを備え、踏み板が第１のネジ部材によって通し柱に固定され、踏み板間柱が第２のネジ部材で踏み板に固定されていることを特徴とする。
【考案の効果】
【０００９】
本考案によれば、構造が簡単で、部品点数も少なく、組み立てやすい。
【図面の簡単な説明】
【００１０】
【図１】本考案に係るキャットタワーの実施例を示す説明図である。
【図２】同キャットタワーの上方からの斜視による説明図である。
【図３】同キャットタワーの平面を示す説明図である。
【図４】同キャットタワーの中段の部分的な説明図である。
【図５】同キャットタワーの上部の部分的な説明図である。
【図６】図４のＡ−Ａ線の矢視断面を示す説明図である。
【考案を実施するための形態】
【００１１】
本考案におけるキャットタワー１は、猫が歩いて乗り降りするものである。尚、図１は、本考案に係るキャットタワーの実施例を示す説明図である。図２は、同キャットタワーの上方からの斜視による説明図である。図３は、同キャットタワーの平面を示す説明図である。図４は、同キャットタワーの中段の部分的な説明図である。図５は、同キャットタワーの上部の部分的な説明図である。図６は、図４のＡ−Ａ線の矢視断面を示す説明図である。
【００１２】
キャットタワー１は、通し柱１０、踏み板２０〜３４、踏み板間柱５０〜６４等から構成されている。通し柱１０は、床面から上方に伸びる棒状のもので、図に示す通し柱１０は丸棒状であるが、角棒でもよいし、その外周形状によって制限されるものではない。踏み板２０〜３４は、略長方形の板状で、通し柱１０が貫通可能な貫通穴（２２ａ，２４ａ，２６ａ）が長手方向の一端部側に穿設されている。尚、踏み板２０〜３４の形状は、略長方形とはいえ、長手方向に伸びて猫が上り下りできる階段を形成できる形状であればよい。その意味では、図に示す最上部に設けられた踏み板３４は、踏み板２０〜３２と機能的に何らかわるものではなく、扇状であるが、踏み板２０〜３２の異種形状であるといえる。
【００１３】
踏み板間柱５０〜６４は、棒状で、踏み板２０〜３４相互の間に、踏み板２０〜３４の他端部側に上下に伸びて挟装されるものである。図に示す踏み板間柱５０〜６４は丸棒状であるが、角棒でもよいし、その外周形状によって制限されるものではない。尚、後述するネジ４０，４２及びボルト７２以外のものは、すべて木材を利用して製作するのが好ましいが、木材以外の樹脂により成形させることも可能である。また、木材についても、無垢材に限らず、集成材を用いることも可能で、木材の種類等についても制限されるものではない。
【００１４】
キャットタワー１の組み立て方法であるが、所望の段数の枚数の踏み板２０〜３４のそれぞれの貫通穴（２２ａ，２４ａ，２６ａ）に通し柱１０を貫通させ（一部の例として図６に示すように、踏み板２２の貫通穴２２ａ、踏み板２４の貫通穴２４ａ、踏み板２６の貫通穴２６ａに通し柱１０を貫通させ）、その踏み板２０〜３４を相互に所定間隔及び通し柱１０と所定の角度になるように配置して通し柱１０に固定していく。尚、キャットタワー１の組み立て自体は、通し柱１０を起立させた状態で行っても良いし、通し柱１０を横臥させた状態で行っても良い。また、通し柱１０の長さ（すなわちキャットタワー１の高さ）や踏み板２０〜３４の枚数は、任意である。
【００１５】
踏み板２０〜３４は、互いに略平行で（キャットタワー１が起立した状態では、略水平）、踏み板２０〜３４相互の間隔は、猫が登り降りできる高さ間隔であればよく、すべての間隔を同一にする必要もなく、それぞれを任意に定めればよい。また、踏み板２０〜３４は、通し柱１０の軸を回転中心として、それぞれ異なる回転角度に配置されるようにし、踏み板２０〜３４全体として螺旋階段状に形成されるように配置する。
【００１６】
踏み板２０〜３４を通し柱１０に固定するためには、踏み板２０〜３４の側方から通し柱１０に向かって第１のネジ部材であるネジ４０を螺入させ、踏み板２０〜３４をネジ４０によって通し柱１０に固定する。
【００１７】
次に、踏み板２０〜３４の相互の間に、踏み板２０〜３４の他端部側に上下に伸びて挟装されたような状態に踏み板間柱５０〜６４を配置していく。踏み板間柱５０〜６４の配置位置は、踏み板２０〜３４の通し柱１０から離れた側が撓まないように支えることができる位置であればよい。踏み板間柱５０〜６４を踏み板２０〜３４に固定するためには、踏み板２０〜３４の上下の面側から踏み板間柱５０〜３４の端面に向かって第２のネジ部材であるネジ４２を螺入させ、踏み板間柱５０〜６４をネジ４２によって踏み板２０〜３４に固定する。尚、猫の体重が軽く、猫が乗っても踏み板２０〜３４が撓まない場合には、踏み板間柱５０〜６４を設ける必要がない場合もある。
【００１８】
尚、キャットタワー１を起立固定させるために、通し柱１０の下端に、略長方形の板材である下部板３６を取り付けるようにする。また、下部板３６と踏み板２０との間には、下部柱６６を挟装するようにする。下部柱６６は、踏み板間柱５０〜６４と同様の物であり、踏み板２０にネジ４２で固定するようにする。
【００１９】
以上のようにキャットタワー１は組み立てられるが、組み上がったキャットタワー１は、自立が困難なため、上部を設置場所の天井面や壁面に固定する必要がある。図の例では、通し柱１０の上端にボルト７２を螺入させ、そのボルト７２の上端に天井面に水平になるように板状の突き当て板７０を設けるようにしている。そして、キャットタワー１を起立させた状態で、突き当て板７０の上面である当接面７０ａを、ボルト７２の長さを調整しつつ、天井面に押し当てるようにして、通し柱１０を天井面に起立固定させる。尚、通し柱１０が天井面の高さ付近まで達していないサイズの場合には、通し柱１０の上端に壁方向に伸びる固定板（図示せず）を設け、その固定板を壁面に固定することにより、通し柱１０を壁面に固定させるようにしてもよい。尚、キャットタワー１の起立固定の方法は、任意である。
【００２０】
尚、キャットタワー１の組み立て手順は、上述の順番で限られたものではなく、組み立てやすい手順で組み立てればよい。
【００２１】
以上のような本願のキャットタワー１によれば、構造が簡単で、部品点数も少なく、ネジ４０，４２で各部品を固定することができるため、組み立てやすい。
【００２２】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００２３】
本考案により、構造が簡単で、部品点数も少なく、組み立てやすいキャットタワーを提供することができる。
【符号の説明】
【００２４】
１・・・・・キャットタワー
１０・・・・通し柱
２０・・・・踏み板
２２・・・・踏み板
２２ａ・・・貫通穴
２４・・・・踏み板
２４ａ・・・貫通穴
２６・・・・踏み板
２６ａ・・・貫通穴
２８・・・・踏み板
３０・・・・踏み板
３２・・・・踏み板
３４・・・・踏み板
３６・・・・下部板
４０・・・・ネジ
４２・・・・ネジ
５０・・・・踏み板間柱
５２・・・・踏み板間柱
５４・・・・踏み板間柱
５６・・・・踏み板間柱
５８・・・・踏み板間柱
６０・・・・踏み板間柱
６２・・・・踏み板間柱
６４・・・・踏み板間柱
６６・・・・下部柱
７０・・・・突き当て板
７０ａ・・・当接面
７２・・・・ボルト
【図１】
0003234781.tif 000003
【図２】
0003234781.tif 000004
【図３】
0003234781.tif 000005
【図４】
0003234781.tif 000006
【図５】
0003234781.tif 000007
【図６】
0003234781.tif 000008